【手続補正書】
【提出日】平成20年11月7日(2008.11.7)
【手続補正１】
【補正対象書類名】明細書
【補正対象項目名】特許請求の範囲
【補正方法】変更
【補正の内容】
【特許請求の範囲】
【請求項１】
被写体を撮像する撮像手段と、
前記撮像手段により撮像された画像の画像ファイルを記録媒体に記録する記録手段と、
転送すべき画像ファイルを特定する転送画像特定情報を、前記画像ファイルとは別個に前記記録媒体に形成する特定情報形成手段と、
前記記録媒体に記録された画像ファイルを外部記録装置へ転送するための通信手段と、
前記転送画像特定情報で特定された画像ファイルの前記通信手段による転送を指示する転送指示操作部と、
前記記録媒体に記録された画像ファイルのうち前記転送画像特定情報で特定されない画像ファイルのみを削除する処理手段とを備えた電子機器。
【請求項２】
請求項１に記載の電子機器において、
前記転送画像特定情報で特定された画像ファイルの前記通信手段による転送が終了した後に前記転送画像特定情報を前記記録媒体から削除する特定情報削除手段を設けたことを特徴とする電子機器。
【請求項３】
請求項１または２に記載の電子機器において、
前記記録媒体に記録された画像ファイルに基づく撮影画像の少なくとも一つを表示する画像表示装置を備え、
前記特定情報形成手段は、前記画像表示装置により表示された少なくとも一つの撮影画像に関する画像ファイルの転送画像特定情報を形成することを特徴とする電子機器。
【請求項４】
請求項１〜３のいずれかに記載の電子機器において、
使用者の操作により前記特定情報形成手段に前記転送画像特定情報を形成するように指示する操作部材を備え、
前記特定情報形成手段は前記操作部材の操作に基づいて画像ファイルの転送画像特定情報を形成するようにしたことを特徴とする電子機器。
【請求項５】
被写体を撮像する撮像手段と、
前記撮像手段により撮像された画像の画像ファイルを記録媒体に記録する記録手段と、
転送すべき画像ファイルを特定する転送画像特定情報をタグ情報として前記画像ファイルに形成する特定情報形成手段と、
前記記録媒体に記録された画像ファイルを外部記録装置へ転送するための通信手段と、
前記転送画像特定情報で特定された画像ファイルの前記通信手段による転送を指示する転送指示操作部と、
前記記録媒体に記録された画像ファイルのうち前記転送画像特定情報で特定されない画像ファイルのみを削除する処理手段とを備えた電子機器。
【請求項６】
請求項５に記載の電子機器において、
前記転送画像特定情報で特定された画像ファイルの前記通信手段による転送が終了した後に、前記タグ情報を前記画像ファイルから削除する特定情報削除手段を設けたことを特徴とする電子機器。
【請求項７】
請求項５または６に記載の電子機器において、
前記記録媒体に記録された画像ファイルに基づく撮影画像を再生する画像再生手段を備え、
前記特定情報形成手段は、前記画像再生手段により再生された撮影画像に関する画像ファイルの転送画像特定情報を形成することを特徴とする電子機器装置。
【請求項８】
請求項5〜７のいずれかに記載の電子機器において、
前記特定情報形成手段は、前記撮像手段による撮像から画像ファイルの前記記録媒体への記録完了までに、その画像ファイルに関する前記転送画像特定情報を形成することを特徴とする電子機器装置。
【請求項９】
請求項1〜８のいずれかに記載の電子機器において、
撮影画像を表示する表示手段と、
使用者の操作により前記特定情報形成手段に前記転送画像特定情報を形成するように指示する操作部材とを備え、
前記特定情報形成手段は、前記操作部材が操作されると、前記撮像手段により撮像された画像に基づいて撮影画像が生成された直後に前記転送画像特定情報を前記画像表示手段に表示された撮影画像に関する画像ファイルに設定するようにしたことを特徴とする電子機器。
【請求項１０】
請求項1〜８のいずれかに記載の電子機器において、
撮影画像を表示する表示手段と、
使用者の操作により前記特定情報形成手段に前記転送画像特定情報を形成するように指示する操作部材とを備え、
前記特定情報形成手段は、前記記録手段から読み出された画像ファイルに関する撮影画像が再生され前記画像表示手段に表示されている間に前記操作部材が操作されると、前記転送画像特定情報を前記画像ファイルに設定するようにしたことを特徴とする電子機器。
【請求項１１】
請求項1〜８のいずれかに記載の電子機器において、
撮影画像を表示する表示手段と、
使用者の操作により前記特定情報形成手段に前記転送画像特定情報を形成するように指示する操作部材とを備え、
前記特定情報形成手段は、複数の撮影画像がサムネイル画像として表示されている間に前記操作部材が操作されると、前記転送画像特定情報を前記画像表示手段に表示された前記複数の撮影画像から選ばれた撮影画像に関する画像ファイルに設定するようにしたことを特徴とする電子機器。
【請求項１２】
請求項1〜８のいずれかに記載の電子機器において、
使用者の操作により前記特定情報形成手段が前記画像ファイルが前記記録媒体に記録されるたびに前記転送画像特定情報を形成するように指示するようにしたことを特徴とする電子機器。
【請求項１３】
請求項1〜８のいずれかに記載の電子機器において、
前記特定情報形成手段は、前記転送画像特定情報を前記記録媒体に記録されているすべての画像に設定するようにしたことを特徴とする電子機器。
【請求項１４】
請求項１〜１３のいずれかに記載の電子機器と、
前記電子機器の前記記録媒体に記録された画像ファイルが転送される外部記録装置とを備え、前記転送指示操作部の指示により、前記記録媒体から前記外部記録装置への画像ファイルの転送を開始する電子機器システム。
【手続補正２】
【補正対象書類名】明細書
【補正対象項目名】０００５
【補正方法】変更
【補正の内容】
【０００５】
【課題を解決するための手段】
（１）請求項１の発明による電子機器は、被写体を撮像する撮像手段と、前記撮像手段により撮像された画像の画像ファイルを記録媒体に記録する記録手段と、転送すべき画像ファイルを特定する転送画像特定情報を、前記画像ファイルとは別個に前記記録媒体に形成する特定情報形成手段と、前記記録媒体に記録された画像ファイルを外部記録装置へ転送するための通信手段と、前記転送画像特定情報で特定された画像ファイルの前記通信手段による転送を指示する転送指示操作部と、前記記録媒体に記録された画像ファイルのうち前記転送画像特定情報で特定されない画像ファイルのみを削除する処理手段とを備えて上述の目的を達成する。
（２）請求項２の発明は、請求項１に記載の電子機器において、前記転送画像特定情報で特定された画像ファイルの前記通信手段による転送が終了した後に前記転送画像特定情報を前記記録媒体から削除する特定情報削除手段を設けるものである。
（３）請求項３の発明は、請求項１または２に記載の電子機器において、前記記録媒体に記録された画像ファイルに基づく撮影画像の少なくとも一つを表示する画像表示装置を備え、前記特定情報形成手段は、前記画像表示装置により表示された少なくとも一つの撮影画像に関する画像ファイルの転送画像特定情報を形成するものである。
（４）請求項４の発明による電子機器は、請求項１〜３のいずれかに記載の電子機器において、使用者の操作により前記特定情報形成手段に前記転送画像特定情報を形成するように指示する操作部材を備え、前記特定情報形成手段は前記操作部材の操作に基づいて画像ファイルの転送画像特定情報を形成するようにしたものである。
（５）請求項５の発明による電子機器は、被写体を撮像する撮像手段と、前記撮像手段により撮像された画像の画像ファイルを記録媒体に記録する記録手段と、転送すべき画像ファイルを特定する転送画像特定情報をタグ情報として前記画像ファイルに形成する特定情報形成手段と、前記記録媒体に記録された画像ファイルを外部記録装置へ転送するための通信手段と、前記転送画像特定情報で特定された画像ファイルの前記通信手段による転送を指示する転送指示操作部と、前記記録媒体に記録された画像ファイルのうち前記転送画像特定情報で特定されない画像ファイルのみを削除する処理手段とを備えて上述の目的を達成する。
（６）請求項６の発明は、請求項５に記載の電子機器において、前記転送画像特定情報で特定された画像ファイルの前記通信手段による転送が終了した後に、前記タグ情報を前記画像ファイルから削除する特定情報削除手段を設けたものである。
（７）請求項７の発明は、請求項５または６に記載の電子機器において、前記記録媒体に記録された画像ファイルに基づく撮影画像を再生する画像再生手段を備え、前記特定情報形成手段は、前記画像再生手段により再生された撮影画像に関する画像ファイルの転送画像特定情報を形成するものである。
（８）請求項８の発明は、請求項5〜７のいずれかに記載の電子機器において、前記特定情報形成手段は、前記撮像手段による撮像から画像ファイルの前記記録媒体への記録完了までに、その画像ファイルに関する前記転送画像特定情報を形成するものである。
（９）請求項９の発明は、請求項1〜８のいずれかに記載の電子機器において、撮影画像を表示する表示手段と、使用者の操作により前記特定情報形成手段に前記転送画像特定情報を形成するように指示する操作部材とを備え、前記特定情報形成手段は、前記操作部材が操作されると、前記撮像手段により撮像された画像に基づいて撮影画像が生成された直後に前記転送画像特定情報を前記画像表示手段に表示された撮影画像に関する画像ファイルに設定するようにしたものである。
（１０）請求項１０の発明は、請求項1〜８のいずれかに記載の電子機器において、撮影画像を表示する表示手段と、使用者の操作により前記特定情報形成手段に前記転送画像特定情報を形成するように指示する操作部材とを備え、前記特定情報形成手段は、前記記録手段から読み出された画像ファイルに関する撮影画像が再生され全画像表示手段に表示されている間に前記操作部材が操作されると、前記転送画像特定情報を前記画像ファイルに設定するようにしたものである。
（１１）請求項１１の発明は、請求項1〜８のいずれかに記載の電子機器において、撮影画像を表示する表示手段と、使用者の操作により前記特定情報形成手段に前記転送画像特定情報を形成するように指示する操作部材とを備え、前記特定情報形成手段は、複数の撮影画像がサムネイル画像として表示されている間に前記操作部材が操作されると、前記転送画像特定情報を前記画像表示手段に表示された前記複数の撮影画像から選ばれた撮影画像に関する画像ファイルに設定するようにしたものである。
（１２）請求項１２の発明は、請求項1〜８のいずれかに記載の電子機器において、
使用者の操作により前記特定情報形成手段が前記画像ファイルが前記記録媒体に記録されるたびに前記転送画像特定情報を形成するように指示するようにしたものである。
（１３）請求項１３の発明は、請求項1〜８のいずれかに記載の電子機器において、
前記特定情報形成手段は、前記転送画像特定情報を前記記録媒体に記録されているすべての画像に設定するようにしたものである。
【手続補正３】
【補正対象書類名】明細書
【補正対象項目名】０００６
【補正方法】変更
【補正の内容】
【０００６】
（１４）請求項１４の発明による電子機器システムは、請求項１〜１３のいずれかに記載の電子機器と、前記電子機器の前記記録媒体に記録された画像ファイルが転送される外部記録装置とを備え、前記転送指示操作部の指示により、前記記録媒体から前記外部記録装置への画像ファイルの転送を開始することにより上述の目的を達成する。